(57)【要約】      （修正有）【課題】頻繁に清浄しなくても、最も良い使用状態を維持できる白墨擦り取り構造を提供する。【解決手段】清潔面４２の両側外側に配列される第一清浄部と、中央の両側に形成され、若干の清浄孔と、これに沿い配列される第二清浄部とからなる若干の清浄段が形成され、清潔体の各清浄孔が、係合板の各貫通孔に対向して白墨灰槽２１に連通され、また、各清浄段の外縁に沿って、間を置いて円弧状の案内面８１が形成され、それらの間に、若干の白墨灰を白墨灰槽に案内する案内槽が形成され、また、上記集塵領域に、白墨灰槽に連通するように、貫通口７２を有するストッパーが組立てられ、ストッパーの一側にトンネル８２を有し、重力によって回動される可動部材が組立てられ、集塵領域の底面に斜面支持板５０が嵌合され、斜面支持板の一側に、集塵領域を閉鎖するための、自在に回動できる弁６０が組立てられ、これにより、ケーシングの白墨灰槽が下へ向う時、可動部材により、貫通口が封止され、集塵領域が下へ向って擦り取る時、可動部材が、下へ回動してトンネルと貫通口が連通する。【選択図】図８
0003149938.tif 000002
【実用新案登録請求の範囲】
【請求項１】
白墨灰槽を有するケーシングが設けられ、上記白墨灰槽の底面に、順に、突出面を有する係合板と清潔面を有する清潔体とが重ね合うように組立てられ、白墨灰槽の両側壁の末端から延び、斜面支持板と弁が実装されるための集塵領域が設けられ、上記係合板において、突出面の両側に、間を置いて若干の貫通孔が配列され、清潔体において、清潔面の両側外側に間隔に配列される第一清浄部と、中央の両側に形成され、若干の清浄孔と、間隔に配列される第二清浄部とからなる若干の清浄段が形成され、清潔体の各清浄孔が、係合板の各貫通孔に対向して白墨灰槽に連通され、また、各清浄段の外縁に沿って、間を置いて、円弧状の案内面が形成され、それらの間に、若干の、白墨灰を白墨灰槽に案内する案内槽が形成され、また、上記集塵領域に、白墨灰槽に連通するように、貫通口を有するストッパーが組立てられ、ストッパーの一側に、トンネルを有し、重力によって回動される可動部材が組立てられ、集塵領域の底面に、斜面支持板が嵌合され、斜面支持板の一側に、集塵領域を閉鎖するための、自在に回動できる弁が組立てられる、ことを特徴とする白墨擦り取り構造。
【請求項２】
ケーシングにおいて、集塵領域の両側の外壁に、対称に、若干の一対の係止孔が設けられ、斜面支持板の両対向側において、若干の集塵領域の係止孔に対向する貫通孔が設けられ、ロック部材によってロックされることを特徴とする請求項１に記載の白墨擦り取り取り構造。
【請求項３】
斜面支持板や弁に、それぞれ、枢着柱の結合段と、枢着孔を有する多関節アームとが設置されて、互いに嵌合されることを特徴とする請求項１に記載の白墨擦り取り取り構造。
【請求項４】
斜面支持板に、下へ傾斜する張り付く面で、ストッパーを押しえる固定住が設けられることを特徴とする請求項１に記載の白墨擦り取り取り構造。
【請求項５】
ケーシングにおいて、集塵領域の底側に、係合ブロックが突出し、弁の一側に、係合ブロックと嵌合でき、孔部を有する係合片が設けられることを特徴とする請求項１に記載の白墨擦り取り取り構造。
【請求項６】
ストッパーに、集塵領域の三側壁に合わせる係合口が設けられ、貫通口に、係合口に合わせて縮小して案内摺動面が形成されることを特徴とする請求項１に記載の白墨擦り取り取り構造。
【請求項７】
ストッパーにおいて、貫通口の両側に、対称に、可動部材が組立てられるための枢着孔を有する支持片が設けられ、可動部材の一側に、円弧案内面が形成され、貫通口が、トンネルの形状に類似し、両側に、円弧案内面に沿って、トンネルよりも高い張り合い領域が設けられ、張り合い領域の一側に、回転柱が設けられることを特徴とする請求項１に記載の白墨擦り取り取り構造。
【請求項８】
ストッパーにおいて、貫通口の上面に、集塵領域の内壁に抵当する支持板が設けられることを特徴とする請求項１に記載の白墨擦り取り取り構造。
【請求項９】
係合板の上面に、ケーシングの白墨灰槽内まで伸びる支持板が設けられることを特徴とする請求項１に記載の白墨擦り取り構造。
【請求項１０】
係合板の突出面が、円弧状になることを特徴とする請求項１に記載の白墨擦り取り構造。
【請求項１１】
係合板と清潔体の中段位置の両端に、夫々、互いに嵌合できる円形と矩形の定位孔と定位ブロックが設けられることを特徴とする請求項１に記載の白墨擦り取り構造。
【請求項１２】
係合板の貫通孔と清潔体の清浄孔とが、矩形に形成されることを特徴とする請求項１に記載の白墨擦り取り構造。
【請求項１３】
ケーシングと係合板に、夫々、互いに嵌合できる嵌合口と嵌合段が設けられることを特徴とする請求項１に記載の白墨擦り取り構造。
【請求項１４】
清潔体の清潔面が、発泡材質からなることを特徴とする請求項１に記載の白墨擦り取り構造。
【請求項１５】
清潔体において、各清浄孔の内面の両側に、夫々、白墨灰を白墨灰槽に導く傾斜面が形成され、また、各清浄孔の隙間に沿って、傾斜掻き取り面が形成されることを特徴とする請求項１に記載の白墨擦り取り構造。
【請求項１６】
ケーシングの集塵領域が、白墨灰槽の両側壁に沿うように、末端が、やや低くなることを特徴とする請求項１に記載の白墨擦り取り構造。
【考案の詳細な説明】
【技術分野】
【０００１】
本考案は、白墨擦り取り構造に関し、特に、清潔体の清潔面の両側の外側に第一清浄部が形成され、内へ向うように両側に若干の清浄孔と間隔に配列される第二清浄部が形成され、第一、第二清浄部がケーシングの白墨灰槽に連通するものに関する。
【背景技術】
【０００２】
図９のように、従来の白墨擦り取り１０の擦り取り面１１は、大半、平面状や若干の凹凸面であり、白墨擦り取り１０で往復に擦り取る時、擦り取った白墨灰が、擦り取り面１１上に付くため、上記擦り取り面１１で、持続的に黒板を擦り取ると、白墨灰を擦り取る効果が悪くなり、複数の擦り取りを用意しなければならなく、また、その後、清浄に手間が掛かり、そのため、時間やコストに実用とはいえない。
【０００３】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００４】
本考案の主な目的は、清潔体の清潔面の両側の外側に若干の清浄段が形成され、間隔に配列された第一清浄部と内へ向って両側に、若干の清浄孔と、間隔に配列された第二清浄部が形成され、また、各清浄段の外縁に沿う案内面が形成されて、間を置いて若干の案内槽が形成され、これにより、白墨灰が白墨灰槽に導かれ、各清浄孔の内面の両側にリブ部を有する傾斜面が形成されて白墨灰が白墨灰槽に導かれ、そのため、第一、第二清浄部とケーシングの白墨灰槽とが連通されて、白墨灰が収納されて白墨灰が集塵室に集中され、有効に白墨灰を清浄でき、いつも清潔面を清浄することが必要しなくても、最も良い使用状態を維持できる白墨擦り取り構造を提供する。
【課題を解決するための手段】
【０００５】
請求項１の考案は、白墨灰槽を有するケーシングが設けられ、上記白墨灰槽の底面に、順に、突出面を有する係合板と清潔面を有する清潔体とが重ね合うように組立てられ、白墨灰槽の両側壁の末端から延び、斜面支持板と弁が実装されるための集塵領域が設けられ、上記係合板において、突出面の両側に、間を置いて若干の貫通孔が配列され、清潔体において、清潔面の両側外側に間隔に配列される第一清浄部と、中央の両側に形成され、若干の清浄孔と、間隔に配列される第二清浄部とからなる若干の清浄段が形成され、清潔体の各清浄孔が、係合板の各貫通孔に対向して白墨灰槽に連通され、また、各清浄段の外縁に沿って、間を置いて、円弧状の案内面が形成され、それらの間に、若干の、白墨灰を白墨灰槽に案内する案内槽が形成され、また、上記集塵領域に、白墨灰槽に連通するように、貫通口を有するストッパーが組立てられ、ストッパーの一側に、トンネルを有し、重力によって回動される可動部材が組立てられ、集塵領域の底面に、斜面支持板が嵌合され、斜面支持板の一側に、集塵領域を閉鎖するための、自在に回動できる弁が組立てられる、ことを特徴とする白墨擦り取り構造である。
【０００６】
請求項２の考案は、ケーシングにおいて、集塵領域の両側の外壁に、対称に、若干の一対の係止孔が設けられ、斜面支持板の両対向側において、若干の集塵領域の係止孔に対向する貫通孔が設けられ、ロック部材によってロックされることを特徴とする請求項１に記載の白墨擦り取り構造である。
【０００７】
請求項３の考案は、斜面支持板や弁に、それぞれ、枢着柱の結合段と、枢着孔を有する多関節アームとが設置されて、互いに嵌合されることを特徴とする請求項１に記載の白墨擦り取り構造である。
【０００８】
請求項４の考案は、斜面支持板に、下へ傾斜する張り付く面で、ストッパーを押しえる固定住が設けられることを特徴とする請求項１に記載の白墨擦り取り構造である。
【０００９】
請求項５の考案は、ケーシングにおいて、集塵領域の底側に、係合ブロックが突出し、弁の一側に、係合ブロックと嵌合でき、孔部を有する係合片が設けられることを特徴とする請求項１に記載の白墨擦り取り構造である。
【００１０】
請求項６の考案は、ストッパーに、集塵領域の三側壁に合わせる係合口が設けられ、貫通口に、係合口に合わせて縮小して案内摺動面が形成されることを特徴とする請求項１に記載の白墨擦り取り構造である。
【００１１】
請求項７の考案は、ストッパーにおいて、貫通口の両側に、対称に、可動部材が組立てられるための枢着孔を有する支持片が設けられ、可動部材の一側に、円弧案内面が形成され、貫通口が、トンネルの形状に類似し、両側に、円弧案内面に沿って、トンネルよりも高い張り合い領域が設けられ、張り合い領域の一側に、回転柱が設けられることを特徴とする請求項１に記載の白墨擦り取り構造である。
【００１２】
請求項８の考案は、ストッパーにおいて、貫通口の上面に、集塵領域の内壁に抵当する支持板が設けられることを特徴とする請求項１に記載の白墨擦り取り構造である。
【００１３】
請求項９の考案は、係合板の上面に、ケーシングの白墨灰槽内まで伸びる支持板が設けられることを特徴とする請求項１に記載の白墨擦り取り構造である。
【００１４】
請求項１０の考案は、係合板の突出面が、円弧状になることを特徴とする請求項１に記載の白墨擦り取り構造である。
【００１５】
請求項１１の考案は、係合板と清潔体の中段位置の両端に、夫々、互いに嵌合できる円形と矩形の定位孔と定位ブロックが設けられることを特徴とする請求項１に記載の白墨擦り取り構造である。
【００１６】
請求項１２の考案は、係合板の貫通孔と清潔体の清浄孔とが、矩形に形成されることを特徴とする請求項１に記載の白墨擦り取り構造である。
【００１７】
請求項１３の考案は、ケーシングと係合板に、夫々、互いに嵌合できる嵌合口と嵌合段が設けられることを特徴とする請求項１に記載の白墨擦り取り構造である。
【００１８】
請求項１４の考案は、清潔体の清潔面が、発泡材質からなることを特徴とする請求項１に記載の白墨擦り取り構造である。
【００１９】
請求項１５の考案は、清潔体において、各清浄孔の内面の両側に、夫々、白墨灰を白墨灰槽に導く傾斜面が形成され、また、各清浄孔の隙間に沿って、傾斜掻き取り面が形成されることを特徴とする請求項１に記載の白墨擦り取り構造である。
【００２０】
請求項１６の考案は、ケーシングの集塵領域が、白墨灰槽の両側壁に沿うように、末端が、やや低くなることを特徴とする請求項１に記載の白墨擦り取り構造である。
【００２１】
以下、図面を参照しながら、本考案の特徴や技術内容について、詳しく説明するが、それらの図面等は、参考や説明のためであり、本考案は、それによって制限されることが無い。
【図面の簡単な説明】
【００２２】
【図１】本考案の立体分解図
【図２】本考案の清潔体の平面図
【図３】本考案の清潔体の内面立体局部拡大図
【図４】本考案の立体組み立て図
【図５】本考案の組み立て断面図１
【図６】本考案の組み立て断面図２
【図７】本考案の清潔体が黒板に向って可動部材が下へ回動した時の作動図
【図８】図７の使用状態図
【図９】従来の平面図
【考案を実施するための形態】
【００２３】
図１を参照しながら、本考案は、ケーシング２０と係合板３０、清潔体４０、斜面支持板５０、弁６０、ストッパー７０及び可動部材８０が備えられ、ケーシング２０は、底面に、白墨灰槽２１が設けられ、ケーシング２０に沿う両側に、それぞれ、がぎ形状である嵌合口２２が設けられ、上記白墨灰槽２１の両側壁の末端に、やや低いように、集塵領域２３が伸び、両側の外壁に、対称に、若干の一対の係止孔２４が設けられ、集塵領域２３の底側に、係合ブロック２５が突出し、係合板３０に、やや約円弧状の突出面３０１が形成され、突出面３０１の中段位置の両端に、夫々、円形と矩形の定位孔３２、３２’があり、また、突出面３０１の両側に、夫々、間隔に若干の大きさが異なる矩形貫通孔３１が設けられ、突出面３０１の両側に、夫々、嵌合段３３が伸び、図２と３を参照しながら、清潔体４０に、発泡材質である清潔面４２が設けられ、一側の中段位置の両端に、夫々、円形や矩形である定位ブロック４１、４１’が形成され、清潔面４２の両側の外側に、若干の清浄段４３１があり、間隔に配列された第一清浄部４３と、両側に、内へ向う若干清浄孔４４１を有し間隔に配列された第二清浄部４４が形成され、また、各清浄段４３１の外縁に沿って、夫々、円弧状である案内面４３１１により、白墨灰が白墨灰槽２１に導かれる、間隔に若干の案内槽４３２が形成され、各清浄孔４４１の内面の両側に、夫々、白墨灰が白墨灰槽２１に導かれる傾斜面４４１２が設けられ、また、各清浄孔４４１に沿って、間隔に傾斜掻き取り面４４１３が伸び、斜面支持板５０の両対向側に、夫々、集塵領域２３の係止孔２４に対向してロック部材５２１に対応する若干貫通孔５２が設けられ、また、両対向側に、夫々、対応して、枢着柱５１１を有する結合段５１と下へ傾斜する張り付く面５３とが設けられ、弁６０は、一側に、枢着孔６１１を有する多関節アーム６１が設けられ、他の一側に、孔部６２１を有する係合片６２が設けられ、ストッパー７０は、集塵領域２３の三側壁に類似する係合口７１が設けられ、係合口７１は、縮小するように比較的に小さい貫通口７２が設けられて案内摺動面７３が形成され、貫通口７２の両側に、対称に、枢着孔７４を有する支持片７５が設けられ、また、貫通口７２と係合板３０の上面に、支持板７６、３４が設置され、可動部材８０の一側が、円弧案内面８１で、その中段に、貫通口７２に類似する形状のトンネル８２が設けられ、両側において、円弧案内面８１に沿ってトンネル８２よりも高い張り合い領域８３が突出し、張り合い領域８３の一側に回転柱８４が突出する。
【００２４】
図４と５のように、本考案によれば、まず、係合板３０両側ある嵌合段３３に、白墨灰槽２１の両側にある嵌合口２２を嵌合し、支持板３４が、白墨灰槽２１内に収納され、また、清潔体４０の定位ブロック４１、４１’と係合板３０の定位孔３２、３２’とを対向して係合し、突出面３０１と清潔面４２とが、互いに重ね合い、これにより、各貫通孔３１と第二清浄部４４の各清浄孔４４１が、対向するようになり、図６のように、その後、ストッパー７０を、ケーシング２０の集塵領域２３の三側壁に沿って、に嵌合段３３に抵当するように、係合口７１に設置し、支持板７６が、集塵領域２３の内壁に抵当して白墨灰槽２１が、案内摺動面７３によって仕切られ、貫通口７２に連通する状態になり、更に、可動部材８０の回転柱８４を、ストッパー７０の枢着孔６１１に嵌合し、回転柱８４が張り合い領域８３の一側に位置して重力が偏心になる設計により、ケーシング２０の白墨灰槽２１が下へ向う時、可動部材８０の回転柱８４が、重力により、枢着孔６１１に沿って下へ回動して円弧案内面８１が貫通口７２を封止し、また、斜面支持板５０の各貫通孔５２と集塵領域２３の係止孔２４とが、ロック部材５２１によりロックされて、張り付く面５３が、ロック部材５２１によりストッパー７０を緊密に固定し、また、弁６０の多関節アーム６１を、枢着孔６１１と枢着柱５１１とが嵌合するまでに、斜面支持板５０の結合段５１に枢着させ、弁６０の枢着孔６１１が、枢着柱５１１に沿って、集塵領域２３の底端まで回動し、そして、係合片６２の孔部６２１と係合ブロック２５とが係合してストッパー７０と可動部材８０が、集塵領域２３内に隠され、これにより、白墨灰を清浄できる白墨擦り取りが形成される。
【００２５】
図７のように、本考案によれば、ケーシング２０の白墨灰槽２１が、黒板Ａに面して集塵領域２３が下へ向かう時、可動部材８０の回転柱８４が張り合い領域８３の一側に位置して重力が偏心になる設計により、可動部材８０の回転柱８４と円弧案内面８１が、重力により下へ貫通口７２とトンネル８２が連通する状態になるまで回動し、また、第一清浄部４３の清浄段４３１の一側の案内面４３１１を利用して、その黒板Ａの擦り取り面に沿って第二清浄部４４に導かれ、清潔体４０が黒板Ａに貼り付いて擦り取る時、白墨灰が、清浄段４３１に沿って、図８のように、両側にある案内槽４３２と一側の傾斜掻き取り面４４１３に沿って清浄孔４４１内に堕ち入れ、また擦り取る時の摩擦による静電で、白墨灰が各傾斜面４４１２に吸着され、そのケーシング２０を叩くことにより発生した振動により、白墨灰が、清潔孔４４１と貫通孔３１から白墨灰槽２１内に落ち込み、白墨灰が、直接にストッパー７０の係合口７１に落ち込んで案内摺動面７３と貫通口７２及びトンネル８２に沿って、弁６０に阻止されて集塵領域２３に集中され、整理する時、係合片６２が、操作により係合ブロック２５から緩めると弁６０が開くようになり、白墨灰を便利に整理でき、清潔体４０の第一、第二清浄部４３、４４と、ケーシング２０の白墨灰槽２１とが連通して白墨灰が収納され、また、白墨灰が集塵室２３に落ち込むことにより、有効に、白墨灰を清浄でき、また、頻繁に清潔面４２を清浄しなくても、最も良い使用状態を維持できる。
【００２６】
そのため、本考案は、より進歩的かつより実用的で、法に従って実用新案登録を出願する。
【００２７】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００２８】
２０          ケーシング
２１          白墨灰槽
２２          嵌合口
２３          集塵領域
２４          係止孔
２５          係合ブロック
３０          係合板
３０１        突出面
３１          貫通孔
３２、３２’  定位孔
３３          嵌合段
３４          支持板
４０          清潔体
４１、４１’  定位ブロック
４２          清潔面
４３          第一清浄部
４３１        清浄段
４３１１      案内面
４３２        案内槽
４４          第二清浄部
４４１        清浄孔
４４１２      傾斜面
４４１３      傾斜掻き取り面
５０          斜面支持板
５１          結合段
５１１        枢着柱
５２          貫通孔
５２１        ロック部材
５３          張り付く面
６０          弁
６１          多関節アーム
６１１        枢着孔
６２          係合片
６２１        孔部
７０          ストッパー
７１          係合口
７２          貫通口
７３          案内摺動面
７４          枢着孔
７５          支持片
７６          支持板
８０          可動部材
８１          円弧案内面
８２          トンネル
８３          張り合い領域
８４          回転柱
Ａ           
黒板
【図１】
0003149938.tif 000003
【図２】
0003149938.tif 000004
【図３】
0003149938.tif 000005
【図４】
0003149938.tif 000006
【図５】
0003149938.tif 000007
【図６】
0003149938.tif 000008
【図７】
0003149938.tif 000009
【図８】
0003149938.tif 000010
【図９】
0003149938.tif 000011
【手続補正書】
【提出日】平成21年2月17日(2009.2.17)
【手続補正１】
【補正対象書類名】実用新案登録請求の範囲
【補正対象項目名】請求項２
【補正方法】変更
【補正の内容】
【請求項２】
ケーシングにおいて、集塵領域の両側の外壁に、対称に、若干の一対の係止孔が設けられ、斜面支持板の両対向側において、若干の集塵領域の係止孔に対向する貫通孔が設けられ、ロック部材によってロックされることを特徴とする請求項１に記載の白墨擦り取り構造。
【手続補正２】
【補正対象書類名】実用新案登録請求の範囲
【補正対象項目名】請求項３
【補正方法】変更
【補正の内容】
【請求項３】
斜面支持板や弁に、それぞれ、枢着柱の結合段と、枢着孔を有する多関節アームとが設置されて、互いに嵌合されることを特徴とする請求項１に記載の白墨擦り取り構造。
【手続補正３】
【補正対象書類名】実用新案登録請求の範囲
【補正対象項目名】請求項４
【補正方法】変更
【補正の内容】
【請求項４】
斜面支持板に、下へ傾斜する張り付く面で、ストッパーを押しえる固定柱が設けられることを特徴とする請求項１に記載の白墨擦り取り構造。
【手続補正４】
【補正対象書類名】実用新案登録請求の範囲
【補正対象項目名】請求項５
【補正方法】変更
【補正の内容】
【請求項５】
ケーシングにおいて、集塵領域の底側に、係合ブロックが突出し、弁の一側に、係合ブロックと嵌合でき、孔部を有する係合片が設けられることを特徴とする請求項１に記載の白墨擦り取り構造。
【手続補正５】
【補正対象書類名】実用新案登録請求の範囲
【補正対象項目名】請求項６
【補正方法】変更
【補正の内容】
【請求項６】
ストッパーに、集塵領域の三側壁に合わせる係合口が設けられ、貫通口に、係合口に合わせて縮小して案内摺動面が形成されることを特徴とする請求項１に記載の白墨擦り取り構造。
【手続補正６】
【補正対象書類名】実用新案登録請求の範囲
【補正対象項目名】請求項７
【補正方法】変更
【補正の内容】
【請求項７】
ストッパーにおいて、貫通口の両側に、対称に、可動部材が組立てられるための枢着孔を有する支持片が設けられ、可動部材の一側に、円弧案内面が形成され、貫通口が、トンネルの形状に類似し、両側に、円弧案内面に沿って、トンネルよりも高い張り合い領域が設けられ、張り合い領域の一側に、回転柱が設けられることを特徴とする請求項１に記載の白墨擦り取り構造。
【手続補正７】
【補正対象書類名】実用新案登録請求の範囲
【補正対象項目名】請求項８
【補正方法】変更
【補正の内容】
【請求項８】
ストッパーにおいて、貫通口の上面に、集塵領域の内壁に抵当する支持板が設けられることを特徴とする請求項１に記載の白墨擦り取り構造。